(57)【特許請求の範囲】
【請求項１】
被取付部材に取り付けられる器具本体と、
前記器具本体に取り付けられ、かつ前記器具本体から下方に突出する一対のソケットと、
前記器具本体の下方において、前記器具本体に固定される反射板と、
前記器具本体の前記ソケットに取り付けられ、断面形状がほぼ円形状である透光性の管と、前記透光性の管内において、前記器具本体の長手方向に延在するＬＥＤ基板の下面に実装される複数のＬＥＤと、を備える直管型ＬＥＤランプと、を有し、
前記反射板は、前記直管型ＬＥＤランプの真上を含む上方に空間を介して配置され、かつ前記直管型ＬＥＤランプ側に、光を反射する平面である補助反射平面を備える補助反射平面部を有し、
前記複数のＬＥＤの各々の真上を含む上方において、前記各ＬＥＤの直射光が前記ＬＥＤ基板に遮られることにより、前記透光性の管の一部に、前記各ＬＥＤの直射光が届かない範囲が生じ、
前記直管型ＬＥＤランプと前記反射板の前記補助反射平面部との間の前記空間には、前記透光性の管の一部に生じる前記各ＬＥＤの直射光が届かない範囲に対応して、影の範囲が生じ、
前記直管型ＬＥＤランプにおける前記透光性の管の内面を光拡散面とし、前記複数のＬＥＤの各々の、斜め上方に向かう直射光を前記光拡散面によって拡散させ、前記拡散によって生じる光成分の一部を上方に回り込ませて、前記直管型ＬＥＤランプと前記反射板の前記補助反射平面部との間の前記空間における前記影の範囲に入射させる照明器具。
【請求項２】
請求項１に記載の照明器具において、
前記反射板は、前記補助反射平面部の、前記器具本体の長手方向に直交する幅方向における両端部に連接し、前記器具本体の長手方向に沿って延在し、かつ、表面が、光を反射する傾斜面である傾斜部を有し、
前記拡散によって生じる光成分の一部を、前記傾斜部の前記傾斜面に入射させる照明器具。
【請求項３】
請求項１または請求項２に記載の照明器具において、
前記反射板の前記補助反射平面部の前記補助反射平面に、表示ラベルが設けられる照明器具。
【発明の詳細な説明】
【技術分野】
【０００１】
本発明は、ＬＥＤを有する直管型ＬＥＤランプを光源として天井面に設置される照明器具に関する。
【背景技術】
【０００２】
従来より、長手方向の両端部に配置されたランプソケットに直管型の蛍光灯を取り付けた照明器具が知られている（例えば、特許文献１参照）。
特許文献１に記載の照明器具は、直管型の蛍光灯から光が放射状に出射されることにより、被照射対象である床面側を照射できる。
【先行技術文献】
【特許文献】
【０００３】
【特許文献１】特開２００７−２１３９６８号公報（図１、請求項１）
【発明の概要】
【発明が解決しようとする課題】
【０００４】
近年、ＬＥＤ技術の発展に伴い、省エネ等の観点からＬＥＤを内蔵した直管型ＬＥＤランプを装備する照明器具が提案されている。
しかし、直管型ＬＥＤランプに内蔵されるＬＥＤは、その構造上、光の指向性が高いために、主に直射光を出射する。
そのため、直管型ＬＥＤランプを適用した従来の照明器具は、直管型ＬＥＤランプの被照射対象に向けた照射範囲が垂直方向に対して１／２ないし２／３であるために、上方に配置される器具本体に暗がりを生ずる。
従って、従来の照明器具は、直管型ＬＥＤランプの上方である器具本体に暗がりを生じて意匠性が良好ではない。
【０００５】
本発明は、前述した課題を解決するためになされたものであり、その目的は、意匠性を向上できる照明器具を提供することにある。
【課題を解決するための手段】
【０００６】
本発明に係る照明器具は、被取付部材に取り付けられる器具本体と、前記器具本体に取り付けられ、かつ前記器具本体から下方に突出する一対のソケットと、前記器具本体の下方において、前記器具本体に固定される反射板と、前記器具本体の前記ソケットに取り付けられ、断面形状がほぼ円形状である透光性の管と、前記透光性の管内において、前記器具本体の長手方向に延在するＬＥＤ基板の下面に実装される複数のＬＥＤと、を備える直管型ＬＥＤランプと、を有し、前記反射板は、前記直管型ＬＥＤランプの真上を含む上方に空間を介して配置され、かつ前記直管型ＬＥＤランプ側に、光を反射する平面である補助反射平面を備える補助反射平面部を有し、前記複数のＬＥＤの各々の真上を含む上方において、前記各ＬＥＤの直射光が前記ＬＥＤ基板に遮られることにより、前記透光性の管の一部に、前記各ＬＥＤの直射光が届かない範囲が生じ、前記直管型ＬＥＤランプと前記反射板の前記補助反射平面部との間の前記空間には、前記透光性の管の一部に生じる前記各ＬＥＤの直射光が届かない範囲に対応して、影の範囲が生じ、前記直管型ＬＥＤランプにおける前記透光性の管の内面を光拡散面とし、前記複数のＬＥＤの各々の、斜め上方に向かう直射光を前記光拡散面によって拡散させ、前記拡散によって生じる光成分の一部を上方に回り込ませて、前記直管型ＬＥＤランプと前記反射板の前記補助反射平面部との間の前記空間における前記影の範囲に入射させる。
【０００７】
本発明に係る照明器具は、前記反射板は、前記補助反射平面部の、前記器具本体の長手方向に直交する幅方向における両端部に連接し、前記器具本体の長手方向に沿って延在し、かつ、表面が、光を反射する傾斜面である傾斜部を有し、前記拡散によって生じる光成分の一部を、前記傾斜部の前記傾斜面に入射させる。
【０００８】
本発明に係る照明器具は、前記反射板の前記補助反射平面部の前記補助反射平面に、表示ラベルが設けられる。
【発明の効果】
【０００９】
本発明に係る照明器具によれば、意匠性を向上できるという効果を奏する。
【図面の簡単な説明】
【００１０】
【図１】本発明に係る第１実施形態の照明器具の斜め下方から視た外観斜視図
【図２】本発明に係る第１実施形態の照明器具の斜め下方から視た分解斜視図
【図３】本発明に係る第１実施形態の照明器具の一部破断底面図
【図４】本発明に係る第１実施形態の照明器具に適用される直管型ＬＥＤランプの縦断面図
【図５】本発明に係る第１実施形態の照明器具の垂直断面図
【図６】本発明に係る第２実施形態の照明器具の斜め下方から視た外観斜視図
【図７】本発明に係る第２実施形態の照明器具の垂直断面図
【図８】本発明に係る第３実施形態の照明器具の下方から視た外観斜視図
【図９】本発明に係る第３実施形態の照明器具の垂直断面図
【図１０】本発明に係る第４実施形態の照明器具の垂直断面図
【発明を実施するための形態】
【００１１】
以下、本発明に係る複数の実施形態の照明器具について図面を参照して説明する。
（第１実施形態）
図１に示すように、本発明に係る第１実施形態の照明器具１０は、器具本体（図２参照）１１と、器具本体１１の下方に取り付けられた反射板１２と、器具本体１１の一端部に取り付けられた給電側ソケット１３および器具本体１１の他端部に取り付けられたアース側ソケット１４に装着されることにより反射板１２との間に空間部１５を介して配置された直管型ＬＥＤランプ１６とを備えて天井面１に設置されるベースライトである。
【００１２】
図２および図３に示すように、器具本体１１は、厚みの薄い金属製板部材を折曲して成形されており、下面に、電源端子台１７と、電源ブロック１８とが取り付けられており、両端部に、給電側ソケット１３と、アース側ソケット１４とが下方に向けて突出させて取り付けられている。
器具本体１１は、中央部に電源端子台１７が取り付けられており、電源端子台１７の給電側ソケット１３側に電源ブロック１８が取り付けられている。電源端子台１７は、天井面１側の外部回路から引き込まれた外部配線２に接続されるとともに、電源ブロック１８に接続される。電源ブロック１８は天井面１側の外部回路から引き込まれたアース線３に接続される。
【００１３】
電源ブロック１８は給電側ソケット１３に接続されており、アース側ソケット１４は器具本体１１等の接地に接続される。そのため、直管型ＬＥＤランプ１６の一端部に有する一対の給電側端子１９が給電側ソケット１３に接続されるとともに、直管型ＬＥＤランプ１６の他端部に有する単一のアース側端子２０がアース側ソケット１４に接続されることにより直管型ＬＥＤランプ１６に内蔵されているＬＥＤ基板２１に有する不図示のプリント回路に直流電流が供給されてＬＥＤ２２が発光する。
【００１４】
器具本体１１は、電源端子台１７と電源ブロック１８との長手方向の外側に、一対のボルト孔２３と、一対のボルト孔２３の外側に配置された一対の木ねじ孔２４とを有する。ボルト孔２３には、天井面１に設置されているボルト４が挿通されてから、器具本体１１の下面に置いてボルト４に座金５が外挿される。そして、ボルト４にナット６がねじ込まれることにより器具本体１１が天井面１に取り付けられる。
【００１５】
反射板１２は、器具本体１１と同様にして厚みの薄い金属製板部材により成形されており、器具本体１１の外側を覆う逆山形状の断面形状を有する。反射板１２は、給電側ソケット１３およびアース側ソケット１４に装着される直管型ＬＥＤランプ１６の上方に予め定められた距離（図５参照）Ｌ１の空間部１５を介して配置される。反射板１２は、直管型ＬＥＤランプ１６の両側部に上向きの一対の傾斜面２５を有する。
【００１６】
そして、反射板１２の傾斜面２５の中央部に補助反射平面２６が形成されている。補助反射平面２６は、反射板１２の底部に相当するフラット面であって所定の幅寸法（図５参照）Ｌ２を有する。補助反射平面２６には、照明器具１０の規格等が印刷された表示ラベル２７が貼り付けられている。
【００１７】
図４に示すように、直管型ＬＥＤランプ１６は、断面がほぼ円形状のガラス管２８内に、複数のＬＥＤ２２を器具本体１１の長手方向に実装させたＬＥＤ基板２１を有するＬＥＤユニット２９を内蔵している。ガラス管２８は、内面に内部塗装面３０を有するために、水平の直径の方向よりも器具本体１１に向けて光を照射する。直管型ＬＥＤランプ１６は、被照射対象である床面に対して全周のほぼ２／３の直射光範囲θ４を有し、直射光が照射されない１／３の範囲θ５に対してガラス管２８の内部塗装面３０により拡散された弱い光成分αを出射する。照明器具１０は、ガラス管２８の内部塗装面３０により拡散された弱い光成分αを活用する。
【００１８】
図５に示すように、反射板１２の傾斜面２５の水平面に対する傾斜角度θ１は、補助反射平面２６の端部と直管型ＬＥＤランプ１６の接線とを結ぶ線Ａ１が水平面に対して傾斜する角度θ２よりも小さく、かつ、補助反射平面２６の端部と直管型ＬＥＤランプ１６のＬＥＤ２２の発光の先端部とを結ぶ線Ａ２が水平面に対して傾斜する角度θ３よりも大きい。
【００１９】
次に、照明器具１０の光学的な特性について説明する。
直管型ＬＥＤランプ１６が点灯されると、直射光範囲θ４にＬＥＤ２２からの直射光が出射される。同時に、範囲θ５に対して弱い光成分αが出射される。
ＬＥＤ２２からの直射光は、水平面に対する傾斜角度θ１が、補助反射平面２６の端部と直管型ＬＥＤランプ１６の接線とを結ぶ線Ａ１が水平面に対して傾斜する角度θ２よりも小さく、かつ、補助反射平面２６の端部と直管型ＬＥＤランプ１６のＬＥＤ２２の発光の先端部とを結ぶ線Ａ２が水平面に対して傾斜する角度θ３よりも大きい反射板１２の傾斜面２５に向けて出射される。
従って、直管型ＬＥＤランプ１６の点灯時に、直管型ＬＥＤランプ１６のＬＥＤ２２から側方へ出射される直射光が、反射板１２の側部の傾斜面２５により反射されることにより、配光を制御できる。
【００２０】
同時に、範囲θ５に対して出射された弱い光成分αは、直管型ＬＥＤランプ１６の真上に空間部１５を介して配置されている補助反射平面２６に向けて出射されるために、補助反射平面２６により反射される。
従って、直管型ＬＥＤランプ１６から上方へ回り込む弱い光成分αが補助反射平面２６により反射されて反射板１２の暗がりを防止できる。
【００２１】
ここで、補助反射平面２６に表示ラベル２７が貼り付けられている。
従って、直管型ＬＥＤランプ１６からの直射光が照射されない補助反射平面２６に表示ラベル２７が設けられることにより、外観面で目立つことなく弱い光成分αにより視認性を取得できる。
【００２２】
以上、説明したように第１実施形態の照明器具１０によれば、直管型ＬＥＤランプ１６から上方へ回り込む弱い光成分αが補助反射平面２６により反射されることにより、反射板１２の暗がりを防止でき、意匠性を向上できる。
【００２３】
また、第１実施形態の照明器具１０によれば、直管型ＬＥＤランプ１６の点灯時に、直管型ＬＥＤランプ１６のＬＥＤ２２から側方へ出射される直射光が、反射板１２の側部の傾斜面２５により反射されることにより、配光を制御できる。
【００２４】
そして、第１実施形態の照明器具１０によれば、直管型ＬＥＤランプ１６からの直射光が照射されない補助反射平面２６に表示ラベル２７が設けられることにより、外観面で目立つことなく弱い光成分αにより視認性を取得できる。
【００２５】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２６】
図６および図７に示すように、本発明に係る第２実施形態の照明器具５０は、器具本体５１に、下方が開口されたコ字形状の断面形状を有する基体５２と、基体５２の下方開口部に取り付けられる傘形の反射板５３とを備え、反射板５３の中央部に補助反射平面５４を有する。
反射板５３は、直管型ＬＥＤランプ１６の両側部に下向きの一対の傾斜面５５を有する。
【００２７】
第２実施形態の照明器具５０によれば、直管型ＬＥＤランプ１６から上方へ回り込む弱い光成分αが補助反射平面５４により反射されることにより、反射板５３の暗がりを防止でき、意匠性を向上できる。
【００２８】
（第３実施形態）
次に、本発明に係る第３実施形態の照明器具について説明する。
図８および図９に示すように、本発明に係る第３実施形態の照明器具６０は、器具本体６１に、下方が開口されたコ字形状の断面形状を有する基体６２と、基体６２の下方開口部に取り付けられる補助反射平面６３とを有する。
【００２９】
第３実施形態の照明器具６０によれば、直管型ＬＥＤランプ１６から上方へ回り込む弱い光成分αが補助反射平面６３により反射されることにより、直管型ＬＥＤランプ１６の上方の暗がりを防止でき、意匠性を向上できる。
【００３０】
（第４実施形態）
次に、本発明に係る第４実施形態の照明器具について説明する。
図１０に示すように、本発明に係る第４実施形態の照明器具７０は、天井面１に埋設される照明器具７０であり、直管型ＬＥＤランプ１６の上方に空間部１５を介して配置される反射板７１の上端部の取付面部７２が器具本体７３に取り付けられる。そして、取付面部７２の裏面が補助反射平面７４になっており、直管型ＬＥＤランプ１６の上方の影となる範囲Ｗ１よりも取付面部７２の幅寸法Ｗ２の方が大きくなる位置に直管型ＬＥＤランプ１６が取り付けられている。反射板７１は下向きの傾斜面７５を有する。
【００３１】
第４実施形態の照明器具７０によれば、直管型ＬＥＤランプ１６の上方の影となる範囲Ｗ１よりも取付面部７２の幅寸法Ｗ１の方が大きくなる位置に直管型ＬＥＤランプ１６が取り付けられているために、直管型ＬＥＤランプ１６から上方に出射された光成分αを補助反射平面７４により反射させることにより、直管型ＬＥＤランプ１６の上方の暗がりを防止でき、意匠性を向上できる。
【００３２】
なお、本発明の照明器具においてＬＥＤ，ＬＥＤ基板，ＬＥＤユニット等は、前述した各実施形態に限定されるものでなく、適宜な変形や改良等が可能である。
【符号の説明】
【００３３】
１０，５０，６０，７０  照明器具
１１，５１，６１，７３  器具本体
１２，５３，７１  反射板
１５  空間部（空間）
１６  直管型ＬＥＤランプ
２２  ＬＥＤ
２５，５５，７５  傾斜面
２６，５４，６３，７４  補助反射平面
２７  表示ラベル
【図１】
0005821013.tif 000002
【図２】
0005821013.tif 000003
【図３】
0005821013.tif 000004
【図４】
0005821013.tif 000005
【図５】
0005821013.tif 000006
【図６】
0005821013.tif 000007
【図７】
0005821013.tif 000008
【図８】
0005821013.tif 000009
【図９】
0005821013.tif 000010
【図１０】
0005821013.tif 000011